(57)【要約】【課題】小型でありながらも、広い画角の確保と、高変倍が可能なズームレンズを提供する。【解決手段】このズームレンズは、物体側から順に、正の屈折力を有する第１レンズ群Ｇ11、負の屈折力を有する第２レンズ群Ｇ12、正の屈折力を有する第３レンズ群Ｇ13、および正の屈折力を有する第４レンズ群Ｇ14が配置されて構成される。また、第２レンズ群Ｇ12と第３レンズ群Ｇ13との間には、絞りＳＴＰが配置されている。そして、所定の条件を満足することにより、小型の口径でありながらも、広い画角（８０°以上）を確保でき、全変倍域において優れた光学性能を維持し、高変倍（８倍以上）が可能なズームレンズになる。【選択図】図１
2011039439.tif 000002
【特許請求の範囲】
【請求項１】
物体側から順に配置された、正の屈折力を有する第１レンズ群と、負の屈折力を有する第２レンズ群と、正の屈折力を有する第３レンズ群と、正の屈折力を有する第４レンズ群と、を含み構成され、
広角端における、前記第２レンズ群を構成するレンズの最結像面側面と前記第３レンズ群を構成するレンズの最物体側面との間隔をＤ２３Ｗ、広角端における光学全系の焦点距離（無限遠物点合焦時）をＦＷとするとき、以下の条件式を満足することを特徴とするズームレンズ。
（１）    ２．０≦Ｄ２３Ｗ／ＦＷ≦３．０
【請求項２】
前記第１レンズ群の焦点距離をＦ１、前記第２レンズ群の焦点距離をＦ２とするとき、以下の条件式を満足することを特徴とする請求項１に記載のズームレンズ。
（２）    ５．７≦｜Ｆ１／Ｆ２｜≦１０
【請求項３】
広角端における光学系の全長（最物体側面から結像面までの距離）をＴａＷ、望遠端における光学系の全長（最物体側面から結像面までの距離）をＴａＴ、広角端における光学系の半画角をωＷ、広角端における光学系の近軸最大像高をＹｍａｘとするとき、以下の条件式を満足することを特徴とする請求項１または２に記載のズームレンズ。
（３）    １５≦（ＴａＷ＋ＴａＴ）／（ｔａｎ（ωＷ）×Ｙｍａｘ）≦３３
【発明の詳細な説明】
【技術分野】
【０００１】
この発明は、デジタルカメラなどの撮像装置に搭載するのに最適な、広角、高倍率のズームレンズに関する。
【背景技術】
【０００２】
近年、デジタルカメラなどにおいて、より一層の小型化とともに高変倍化が要求されている。この要求に応えるために、小型、高倍率のズームレンズが提案されている（たとえば、特許文献１、２を参照。）。
【０００３】
特許文献１，２に記載のズームレンズは、物体側から順に、少なくとも、正、負、正、正の屈折力を有する４つのレンズ群が配置された高倍率ズームレンズである。特に、特許文献１に記載のズームレンズは、広角端において７７°を超える画角と、約９．４倍の変倍を行うことを実現したものである。また、特許文献２に記載のズームレンズは、広角端において６１°を超える画角と、約９．５倍の変倍を行うことを実現したものである。
【先行技術文献】
【特許文献】
【０００４】
【特許文献１】特開２００８−１７６２３０号公報
【特許文献２】特開２００８−１８５７８２号公報
【発明の概要】
【発明が解決しようとする課題】
【０００５】
特許文献１および特許文献２に記載されたズームレンズは、いずれも９倍以上の高変倍を実現するものであるが、レンズ径が比較的大きいため、より小型化が要求されている撮像装置に対応できないという問題がある。また、画角８０°未満と狭く、不十分である。
【０００６】
この発明は、上述した従来技術による問題点を解消するため、小型でありながらも、広い画角の確保と、高変倍が可能なズームレンズを提供することを目的とする。
【課題を解決するための手段】
【０００７】
上述した課題を解決し、目的を達成するため、請求項１の発明にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を含み構成され、広角端における、前記第２レンズ群を構成するレンズの最結像面側面と前記第３レンズ群を構成するレンズの最物体側面との間隔をＤ２３Ｗ、広角端における光学全系の焦点距離（無限遠物点合焦時）をＦＷとするとき、以下の条件式を満足することを特徴とする。
（１）    ２．０≦Ｄ２３Ｗ／ＦＷ≦３．０
【０００８】
この請求項１に記載の発明によれば、特に光学系中最も大きくなりがちな前記第１レンズ群の口径を小さくすることで光学系全体の小型化を図り、しかも広角化を達成できる。
【０００９】
また、請求項２の発明にかかるズームレンズは、請求項１に記載の発明において、前記第１レンズ群の焦点距離をＦ１、前記第２レンズ群の焦点距離をＦ２とするとき、以下の条件式を満足することを特徴とする。
（２）    ５．７≦｜Ｆ１／Ｆ２｜≦１０
【００１０】
この請求項２に記載の発明によれば、前記第１レンズ群の口径の小型化と、広角化を達成し、さらに全変倍域に亘り光学性能の向上を図ることができる。
【００１１】
また、請求項３の発明にかかるズームレンズは、請求項１または２に記載の発明において、広角端における光学系の全長（最物体側面から結像面までの距離）をＴａＷ、望遠端における光学系の全長（最物体側面から結像面までの距離）をＴａＴ、広角端における光学系の半画角をωＷ、広角端における光学系の近軸最大像高をＹｍａｘとするとき、以下の条件式を満足することを特徴とする。
（３）    １５≦（ＴａＷ＋ＴａＴ）／（ｔａｎ（ωＷ）×Ｙｍａｘ）≦３３
【００１２】
この請求項３に記載の発明によれば、前記第１レンズ群の口径の小型化と、広角化を達成したうえで、より高変倍が可能になる。
【発明の効果】
【００１３】
この発明によれば、小型、広角で、全変倍域において優れた光学性能を備え、高変倍が可能なズームレンズを提供することができるという効果を奏する。
【図面の簡単な説明】
【００１４】
【図１】実施例１にかかるズームレンズの構成を示す光軸に沿う断面図である。
【図２】実施例１にかかるズームレンズの諸収差図である。
【図３】実施例２にかかるズームレンズの構成を示す光軸に沿う断面図である。
【図４】実施例２にかかるズームレンズの諸収差図である。
【図５】実施例３にかかるズームレンズの構成を示す光軸に沿う断面図である。
【図６】実施例３にかかるズームレンズの諸収差図である。
【発明を実施するための形態】
【００１５】
以下、添付図面を参照して、この発明にかかるズームレンズの好適な実施の形態を詳細に説明する。
【００１６】
この実施の形態にかかるズームレンズは、物体側から順に配置された、正の屈折力を有する第１レンズ群と、負の屈折力を有する第２レンズ群と、正の屈折力を有する第３レンズ群と、正の屈折力を有する第４レンズ群と、を含み構成される。この実施の形態のズームレンズは、前記第１レンズ群〜前記第３レンズ群を光軸に沿って移動させることによって、広角端から望遠端への変倍を行う。また、前記第４レンズ群を光軸に沿って移動させることによって、変倍に伴う結像面変動（結像位置）の補正やフォーカシングを行う。
【００１７】
この発明は、小型、広角で、高い光学性能を備え、高変倍が可能なズームレンズを提供することを目的としている。そこで、かかる目的を達成するため、以下に示すような各種条件を設定している。
【００１８】
まず、この実施の形態にかかるズームレンズは、広角端における、前記第２レンズ群を構成するレンズの最結像面側面と前記第３レンズ群を構成するレンズの最物体側面との間隔をＤ２３Ｗ、広角端における光学全系の焦点距離（無限遠物点合焦時）をＦＷとするとき、次の条件式を満足することが好ましい。
（１）    ２．０≦Ｄ２３Ｗ／ＦＷ≦３．０
【００１９】
条件式（１）は、広角端において８０°以上の広い画角を確保したうえで、前記第１レンズ群の有効径を小さくするための条件を規定するための式である。この条件式（１）を満足することにより、８０°以上の広角化と前記第１レンズ群の口径の小型化との両立が可能になる。条件式（１）においてその下限を下回ると、前記第１レンズ群の有効径を小さくすることで前記第１レンズ群の口径の小型化は達成できるが、８０°以上の広い画角を確保することが困難になる。一方、条件式（１）においてその上限を超えると、広角端における前記第１レンズ群の有効径が大きくなってしまい、前記第１レンズ群の口径の小型化が困難になる。
【００２０】
また、この実施の形態にかかるズームレンズは、前記第１レンズ群の焦点距離をＦ１、前記第２レンズ群の焦点距離をＦ２とするとき、次の条件式を満足することが好ましい。
（２）    ５．７≦｜Ｆ１／Ｆ２｜≦１０
【００２１】
条件式（２）は、前記第１レンズ群の有効径の小型化、広角端における広角化、全変倍域における高い光学性能の維持のための条件を規定する式である。条件式（２）においてその下限を下回ると、光学性能は維持できるが、前記第１レンズ群の有効径の小型化と、広角端における広角化を実現することが困難になる。一方、条件式（２）においてその上限を超えると、前記第２レンズ群のパワーが強くなるため、前記第１レンズ群の口径の小型化、および広角化を実現することは容易になるが、諸収差の補正が困難になる。
【００２２】
また、この実施の形態にかかるズームレンズは、広角端における光学系の全長（最物体側面から結像面までの距離）をＴａＷ、望遠端における光学系の全長（最物体側面から結像面までの距離）をＴａＴ、広角端における光学系の半画角をωＷ、広角端における光学系の近軸最大像高をＹｍａｘとするとき、次の条件式を満足することが好ましい。
（３）    １５≦（ＴａＷ＋ＴａＴ）／（ｔａｎ（ωＷ）×Ｙｍａｘ）≦３３
【００２３】
条件式（３）は、前記第１レンズ群の口径の小型化と、広角端における８０°以上の画角を確保しながら、８倍以上の高変倍を実現するための条件を示す式である。条件式（３）においてその下限を下回ると、前記第１レンズ群の口径の小型化と広角端での広角化は実現可能であるが、８倍以上の高変倍を実現することが困難になる。一方、条件式（３）においてその上限を超えると、８倍以上の高変倍を実現することは可能であるが、前記第１レンズ群の口径の小型化と広角端での広角化を実現することが困難になる。
【００２４】
以上説明したように、この実施の形態にかかるズームレンズは、上記条件式（１）を満足することで、小型の口径でありながらも、８０°以上の広い画角を確保できる。さらに、上記条件式（２）を満足することで、小型、広角でありながら、全変倍域において高い光学性能を維持することが可能になる。さらに、上記条件式（３）を満足することで、小型、広角化と、高変倍が可能になる。
【００２５】
なお、上記各条件式はそのいずれかひとつが満足されていれば優れた効果が期待できることはすでに述べた通りである。しかし、上記各条件式をひとつよりも複数満足することにより、より優れたズームレンズを提供できる。
【実施例１】
【００２６】
図１は、実施例１にかかるズームレンズの構成を示す光軸に沿う断面図である。このズームレンズは、図示しない物体側から順に、正の屈折力を有する第１レンズ群Ｇ11、負の屈折力を有する第２レンズ群Ｇ12、正の屈折力を有する第３レンズ群Ｇ13、および正の屈折力を有する第４レンズ群Ｇ14が配置されて構成される。また、第２レンズ群Ｇ12と第３レンズ群Ｇ13との間には、絞りＳＴＰが配置されている。第４レンズ群Ｇ14と結像面ＩＭＧとの間には、カバーガラスＣＧ（またはフィルタ）が配置されている。カバーガラスＣＧ（またはフィルタ）は必要に応じて配置されるものであり、不要な場合は省略可能である。また、結像面ＩＭＧには、ＣＣＤやＣＭＯＳなどの撮像素子の受光面が配置される。
【００２７】
第１レンズ群Ｇ11は、前記物体側から順に、負レンズＬ111、正レンズＬ112、および正レンズＬ113が配置されて構成される。負レンズＬ111と正レンズＬ112とは、接合されている。
【００２８】
第２レンズ群Ｇ12は、前記物体側から順に、負レンズＬ121、負レンズＬ122、および正レンズＬ123が配置されて構成される。負レンズＬ121の両面と正レンズＬ123の結像面ＩＭＧ側の面には、それぞれ非球面が形成されている。また、負レンズＬ122と正レンズＬ123とは、接合されている。
【００２９】
第３レンズ群Ｇ13は、前記物体側から順に、正レンズＬ131、負レンズＬ132、および正レンズＬ133が配置されて構成される。正レンズＬ131の前記物体側面には、非球面が形成されている。また、正レンズＬ131と負レンズＬ132とは、接合されている。
【００３０】
第４レンズ群Ｇ14は、正レンズＬ141により構成される。正レンズＬ141の両面には、それぞれ非球面が形成されている。
【００３１】
このズームレンズは、第１レンズ群Ｇ11、第２レンズ群Ｇ12、および第３レンズ群Ｇ13を光軸に沿って移動させることによって、広角端から望遠端への変倍を行う。また、第４レンズ群Ｇ14を光軸に沿って移動させることによって、変倍に伴う結像面変動（結像位置）の補正やフォーカシングを行う。
【００３２】
以下、実施例１にかかるズームレンズに関する各種数値データを示す。
【００３３】
ズームレンズ全系の焦点距離＝4.365（広角端）〜13.109（中間ズーム位置）〜41.178（望遠端）
Ｆナンバ＝3.58（広角端）〜4.84（中間ズーム位置）〜5.75（望遠端）
画角（２ω）＝87.6°（広角端）〜33.6°（中間ズーム位置）〜10.56°（望遠端）
【００３４】
（条件式（１）に関する数値）
広角端における第２レンズ群Ｇ12を構成するレンズの最結像面側面と第３レンズ群Ｇ13を構成するレンズの最物体側面との間隔(Ｄ２３Ｗ)＝11.532
Ｄ２３Ｗ／ＦＷ＝2.64
【００３５】
（条件式（２）に関する数値）
第１レンズ群Ｇ11の焦点距離（Ｆ１）＝35.5194
第２レンズ群Ｇ12の焦点距離（Ｆ２）＝-5.8942
｜Ｆ１／Ｆ２｜＝6.03
【００３６】
（条件式（３）に関する数値）
広角端における光学系の全長（ＴａＷ）＝38.5991
望遠端における光学系の全長（ＴａＴ）＝55.5311
広角端における光学系の半画角（ωＷ）＝43.80
広角端における光学系の近軸最大像高（Ｙｍａｘ）＝4.1858
（ＴａＷ＋ＴａＴ）／（ｔａｎ（ωＷ）×Ｙｍａｘ）＝23.45
【００３７】
ｒ1＝42.4567
ｄ1＝0.7000    ｎｄ1＝1.92286    νｄ1＝20.88
ｒ2＝23.7410
ｄ2＝2.8893    ｎｄ2＝1.61800    νｄ2＝63.39
ｒ3＝123.2525
ｄ3＝0.1500
ｒ4＝24.3075
ｄ4＝2.2214    ｎｄ3＝1.88300    νｄ3＝40.80
ｒ5＝72.0512
ｄ5＝0.5000(広角端)〜8.4947(中間ズーム位置)〜19.7731（望遠端）
ｒ6＝18.2902（非球面）
ｄ6＝0.8000    ｎｄ4＝1.85135    νｄ4＝40.10
ｒ7＝4.1413（非球面）
ｄ7＝2.6217
ｒ8＝-104.4554
ｄ8＝0.4500    ｎｄ5＝1.74330    νｄ5＝49.22
ｒ9＝8.5587
ｄ9＝1.6559    ｎｄ6＝2.00170    νｄ6＝19.32
ｒ10＝31.8881（非球面）
ｄ10＝11.1821(広角端)〜3.0587(中間ズーム位置)〜0.1871（望遠端）
ｒ11＝∞（絞り）
ｄ11＝0.3500
ｒ12＝4.4041（非球面）
ｄ12＝1.1356    ｎｄ7＝1.80611    νｄ7＝40.73
ｒ13＝8.7508
ｄ13＝1.4251    ｎｄ8＝1.94595    νｄ8＝17.98
ｒ14＝4.0934
ｄ14＝0.3433
ｒ15＝10.1848
ｄ15＝1.1959    ｎｄ9＝1.61800    νｄ9＝63.39
ｒ16＝-10.1848
ｄ16＝3.5000(広角端)〜5.7939(中間ズーム位置)〜13.5388（望遠端）
ｒ17＝15.7815（非球面）
ｄ17＝1.5000    ｎｄ10＝1.55332    νｄ10＝71.67
ｒ18＝-1000.0000（非球面）
ｄ18＝4.4707(広角端)〜7.8402(中間ズーム位置)〜3.0627（望遠端）
ｒ19＝∞
ｄ19＝0.5000    ｎｄ11＝1.51680    νｄ11＝64.20
ｒ20＝∞
ｄ20＝1.0081(広角端)〜1.0126(中間ズーム位置)〜1.0311（望遠端）
ｒ21＝∞（結像面）
【００３８】
円錐係数（Ｋ）および非球面係数（Ａ，Ｂ，Ｃ，Ｄ）
（第６面）
Ｋ＝0,
Ａ＝1.16028×10-4,   Ｂ＝-4.00446×10-5,
Ｃ＝9.99964×10-7,   Ｄ＝-7.76320×10-9
（第７面）
Ｋ＝-0.1858,
Ａ＝6.53494×10-4,   Ｂ＝2.25949×10-5,
Ｃ＝-7.88249×10-6,   Ｄ＝7.04313×10-8
（第１０面）
Ｋ＝0，
Ａ＝-5.92227×10-4,   Ｂ＝4.38745×10-6,
Ｃ＝1.94199×10-7,   Ｄ＝-1.48702×10-8
（第１２面）
Ｋ＝-0.5353，
Ａ＝9.52249×10-6,   Ｂ＝4.17341×10-5,
Ｃ＝-8.84871×10-6,   Ｄ＝1.17972×10-6
（第１７面）
Ｋ＝-1.6970，
Ａ＝-6.34973×10-4,   Ｂ＝3.53883×10-5,
Ｃ＝-2.81373×10-6,   Ｄ＝3.86441×10-8
（第１８面）
Ｋ＝0，
Ａ＝-6.44317×10-4,   Ｂ＝1.51939×10-5,
Ｃ＝-1.68208×10-6,   Ｄ＝1.60171×10-8
【００３９】
また、図２は、実施例１にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【実施例２】
【００４０】
図３は、実施例２にかかるズームレンズの構成を示す光軸に沿う断面図である。このズームレンズは、図示しない物体側から順に、正の屈折力を有する第１レンズ群Ｇ21、負の屈折力を有する第２レンズ群Ｇ22、正の屈折力を有する第３レンズ群Ｇ23、および正の屈折力を有する第４レンズ群Ｇ24が配置されて構成される。また、第２レンズ群Ｇ22と第３レンズ群Ｇ23との間には、絞りＳＴＰが配置されている。第４レンズ群Ｇ24と結像面ＩＭＧとの間には、カバーガラスＣＧ（またはフィルタ）が配置されている。カバーガラスＣＧ（またはフィルタ）は必要に応じて配置されるものであり、不要な場合は省略可能である。また、結像面ＩＭＧには、ＣＣＤやＣＭＯＳなどの撮像素子の受光面が配置される。
【００４１】
第１レンズ群Ｇ21は、前記物体側から順に、負レンズＬ211、正レンズＬ212、および正レンズＬ213が配置されて構成される。負レンズＬ211と正レンズＬ212とは、接合されている。
【００４２】
第２レンズ群Ｇ22は、前記物体側から順に、負レンズＬ221、負レンズＬ222、および正レンズＬ223が配置されて構成される。負レンズＬ221の両面と正レンズＬ223の結像面ＩＭＧ側の面には、それぞれ非球面が形成されている。また、負レンズＬ222と正レンズＬ223とは、接合されている。
【００４３】
第３レンズ群Ｇ23は、前記物体側から順に、正レンズＬ231、負レンズＬ232、および正レンズＬ233が配置されて構成される。正レンズＬ231の前記物体側面には、非球面が形成されている。また、正レンズＬ231と負レンズＬ232とは、接合されている。
【００４４】
第４レンズ群Ｇ24は、正レンズＬ241により構成される。正レンズＬ241の両面には、それぞれ非球面が形成されている。
【００４５】
このズームレンズは、第１レンズ群Ｇ21、第２レンズ群Ｇ22、および第３レンズ群Ｇ23を光軸に沿って移動させることによって、広角端から望遠端への変倍を行う。また、第４レンズ群Ｇ24を光軸に沿って移動させることによって、変倍に伴う結像面変動（結像位置）の補正やフォーカシングを行う。
【００４６】
以下、実施例２にかかるズームレンズに関する各種数値データを示す。
【００４７】
ズームレンズ全系の焦点距離＝4.378（広角端）〜13.059（中間ズーム位置）〜40.991（望遠端）
Ｆナンバ＝3.58（広角端）〜4.88（中間ズーム位置）〜5.66（望遠端）
画角（２ω）＝87.4°（広角端）〜33.12°（中間ズーム位置）〜10.56°（望遠端）
【００４８】
（条件式（１）に関する数値）
広角端における第２レンズ群Ｇ22を構成するレンズの最結像面側面と第３レンズ群Ｇ23を構成するレンズの最物体側面との間隔(Ｄ２３Ｗ)＝11.363
Ｄ２３Ｗ／ＦＷ＝2.60
【００４９】
（条件式（２）に関する数値）
第１レンズ群Ｇ21の焦点距離（Ｆ１）＝35.3573
第２レンズ群Ｇ22の焦点距離（Ｆ２）＝-5.7182
｜Ｆ１／Ｆ２｜＝6.18
【００５０】
（条件式（３）に関する数値）
広角端における光学系の全長（ＴａＷ）＝38.7179
望遠端における光学系の全長（ＴａＴ）＝55.4904
広角端における光学系の半画角（ωＷ）＝43.70
広角端における光学系の近軸最大像高（Ｙｍａｘ）＝4.1839
（ＴａＷ＋ＴａＴ）／（ｔａｎ（ωＷ）×Ｙｍａｘ）＝23.56
【００５１】
ｒ1＝35.3665
ｄ1＝0.7000    ｎｄ1＝1.92286    νｄ1＝20.88
ｒ2＝22.7365
ｄ2＝2.8303    ｎｄ2＝1.61800    νｄ2＝63.39
ｒ3＝94.1318
ｄ3＝0.1500
ｒ4＝22.1345
ｄ4＝2.1521    ｎｄ3＝1.78800    νｄ3＝47.49
ｒ5＝57.3854
ｄ5＝0.5000(広角端)〜8.0817(中間ズーム位置)〜19.4548（望遠端）
ｒ6＝19.8247（非球面）
ｄ6＝0.8000    ｎｄ4＝1.85639    νｄ4＝40.10
ｒ7＝4.0732（非球面）
ｄ7＝2.6721
ｒ8＝701.8212
ｄ8＝0.4500    ｎｄ5＝1.77250    νｄ5＝49.62
ｒ9＝8.1000
ｄ9＝1.6506    ｎｄ6＝2.01390    νｄ6＝19.32
ｒ10＝27.7772（非球面）
ｄ10＝11.0131(広角端)〜3.0593(中間ズーム位置)〜0.1500（望遠端）
ｒ11＝∞（絞り）
ｄ11＝0.3500
ｒ12＝4.6428（非球面）
ｄ12＝1.3959    ｎｄ7＝1.80610    νｄ7＝40.74
ｒ13＝9.1218
ｄ13＝1.2040    ｎｄ8＝1.94595    νｄ8＝17.98
ｒ14＝4.3311
ｄ14＝0.3125
ｒ15＝9.9065
ｄ15＝1.2138    ｎｄ9＝1.61800    νｄ9＝63.39
ｒ16＝-9.9065
ｄ16＝4.2017(広角端)〜7.1778(中間ズーム位置)〜13.6497（望遠端）
ｒ17＝16.9814（非球面）
ｄ17＝1.5000    ｎｄ10＝1.55516    νｄ10＝71.67
ｒ18＝-224.2761（非球面）
ｄ18＝4.1129(広角端)〜7.3262(中間ズーム位置)〜3.4643（望遠端）
ｒ19＝∞
ｄ19＝0.5000    ｎｄ11＝1.51680    νｄ11＝64.20
ｒ20＝∞
ｄ20＝1.0090(広角端)〜0.9591(中間ズーム位置)〜0.8904（望遠端）
ｒ21＝∞（結像面）
【００５２】
円錐係数（Ｋ）および非球面係数（Ａ，Ｂ，Ｃ，Ｄ）
（第６面）
Ｋ＝0,
Ａ＝1.09571×10-4,   Ｂ＝-2.97768×10-5,
Ｃ＝6.21695×10-7,   Ｄ＝-3.72502×10-9
（第７面）
Ｋ＝-0.1858,
Ａ＝7.30061×10-4,   Ｂ＝3.77662×10-6,
Ｃ＝-3.03192×10-6,   Ｄ＝-1.86011×10-7
（第１０面）
Ｋ＝0，
Ａ＝-6.01399×10-4,   Ｂ＝3.30880×10-6,
Ｃ＝1.07326×10-7,   Ｄ＝-4.56889×10-10
（第１２面）
Ｋ＝-0.5322，
Ａ＝2.34771×10-5,   Ｂ＝1.08796×10-5,
Ｃ＝-1.60048×10-6,   Ｄ＝5.07288×10-7
（第１７面）
Ｋ＝-4.3209，
Ａ＝-6.78620×10-4,   Ｂ＝3.28433×10-5,
Ｃ＝-1.41788×10-6,   Ｄ＝-9.87708×10-9
（第１８面）
Ｋ＝0，
Ａ＝-8.87070×10-4,   Ｂ＝3.42669×10-5,
Ｃ＝-1.76375×10-6,   Ｄ＝3.39007×10-9
【００５３】
また、図４は、実施例２にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【実施例３】
【００５４】
図５は、実施例３にかかるズームレンズの構成を示す光軸に沿う断面図である。このズームレンズは、図示しない物体側から順に、正の屈折力を有する第１レンズ群Ｇ31、負の屈折力を有する第２レンズ群Ｇ32、正の屈折力を有する第３レンズ群Ｇ33、および正の屈折力を有する第４レンズ群Ｇ34が配置されて構成される。また、第２レンズ群Ｇ32と第３レンズ群Ｇ33との間には、絞りＳＴＰが配置されている。第４レンズ群Ｇ34と結像面ＩＭＧとの間には、カバーガラスＣＧ（またはフィルタ）が配置されている。カバーガラスＣＧ（またはフィルタ）は必要に応じて配置されるものであり、不要な場合は省略可能である。また、結像面ＩＭＧには、ＣＣＤやＣＭＯＳなどの撮像素子の受光面が配置される。
【００５５】
第１レンズ群Ｇ31は、前記物体側から順に、負レンズＬ311、正レンズＬ312、および正レンズＬ313が配置されて構成される。負レンズＬ311と正レンズＬ312とは、接合されている。
【００５６】
第２レンズ群Ｇ32は、前記物体側から順に、負レンズＬ321、負レンズＬ322、および正レンズＬ323が配置されて構成される。負レンズＬ321の両面と正レンズＬ323の結像面ＩＭＧ側の面には、それぞれ非球面が形成されている。また、負レンズＬ322と正レンズＬ323とは、接合されている。
【００５７】
第３レンズ群Ｇ33は、前記物体側から順に、正レンズＬ331、負レンズＬ332、および正レンズＬ333が配置されて構成される。正レンズＬ331の前記物体側面には、非球面が形成されている。また、正レンズＬ331と負レンズＬ332とは、接合されている。
【００５８】
第４レンズ群Ｇ34は、正レンズＬ341により構成される。正レンズＬ341の両面には、それぞれ非球面が形成されている。
【００５９】
このズームレンズは、第１レンズ群Ｇ31、第２レンズ群Ｇ32、および第３レンズ群Ｇ33を光軸に沿って移動させることによって、広角端から望遠端への変倍を行う。また、第４レンズ群Ｇ34を光軸に沿って移動させることによって、変倍に伴う結像面変動（結像位置）の補正やフォーカシングを行う。
【００６０】
以下、実施例３にかかるズームレンズに関する各種数値データを示す。
【００６１】
ズームレンズ全系の焦点距離＝4.381（広角端）〜13.307（中間ズーム位置）〜41.113（望遠端）
Ｆナンバ＝3.60（広角端）〜4.82（中間ズーム位置）〜5.71（望遠端）
画角（２ω）＝87.4°（広角端）〜33.12°（中間ズーム位置）〜10.56°（望遠端）
【００６２】
（条件式（１）に関する数値）
広角端における第２レンズ群Ｇ32を構成するレンズの最結像面側面と第３レンズ群Ｇ33を構成するレンズの最物体側面との間隔(Ｄ２３Ｗ)＝10.771
Ｄ２３Ｗ／ＦＷ＝2.50
【００６３】
（条件式（２）に関する数値）
第１レンズ群Ｇ31の焦点距離（Ｆ１）＝35.4149
第２レンズ群Ｇ32の焦点距離（Ｆ２）＝-5.6003
｜Ｆ１／Ｆ２｜＝6.32
【００６４】
（条件式（３）に関する数値）
広角端における光学系の全長（ＴａＷ）＝38.1391
望遠端における光学系の全長（ＴａＴ）＝55.6475
広角端における光学系の半画角（ωＷ）＝43.70
広角端における光学系の近軸最大像高（Ｙｍａｘ）＝4.1861
（ＴａＷ＋ＴａＴ）／（ｔａｎ（ωＷ）×Ｙｍａｘ）＝23.45
【００６５】
ｒ1＝33.2686
ｄ1＝0.8000    ｎｄ1＝1.84666    νｄ1＝23.78
ｒ2＝19.8000
ｄ2＝3.0214    ｎｄ2＝1.61800    νｄ2＝63.39
ｒ3＝80.0497
ｄ3＝0.1500
ｒ4＝24.5713
ｄ4＝2.2786    ｎｄ3＝1.78800    νｄ3＝47.49
ｒ5＝78.2687
ｄ5＝0.5000(広角端)〜9.5000(中間ズーム位置)〜19.6766（望遠端）
ｒ6＝25.2886（非球面）
ｄ6＝0.8000    ｎｄ4＝1.85135    νｄ4＝40.10
ｒ7＝4.1057（非球面）
ｄ7＝2.4507
ｒ8＝562.3556
ｄ8＝0.4500    ｎｄ5＝1.77250    νｄ5＝49.62
ｒ9＝8.5000
ｄ9＝1.5324    ｎｄ6＝2.00170    νｄ6＝19.32
ｒ10＝31.7164（非球面）
ｄ10＝10.4212(広角端)〜3.2143(中間ズーム位置)〜0.1500（望遠端）
ｒ11＝∞（絞り）
ｄ11＝0.3500
ｒ12＝4.6699（非球面）
ｄ12＝1.1969    ｎｄ7＝1.80610    νｄ7＝40.74
ｒ13＝9.2400
ｄ13＝1.3621    ｎｄ8＝1.94595    νｄ8＝17.98
ｒ14＝4.4271
ｄ14＝0.3144
ｒ15＝10.8758
ｄ15＝1.2266    ｎｄ9＝1.61800    νｄ9＝63.39
ｒ16＝-9.1157
ｄ16＝4.0000(広角端)〜7.1658(中間ズーム位置)〜13.6403（望遠端）
ｒ17＝17.2904（非球面）
ｄ17＝1.5000    ｎｄ10＝1.59201    νｄ10＝67.02
ｒ18＝-500.0000（非球面）
ｄ18＝3.6718(広角端)〜6.6915(中間ズーム位置)〜3.2000（望遠端）
ｒ19＝∞
ｄ19＝0.5000    ｎｄ11＝1.51680    νｄ11＝64.20
ｒ20＝∞
ｄ20＝1.6130(広角端)〜1.0391(中間ズーム位置)〜1.0475（望遠端）
ｒ21＝∞（結像面）
【００６６】
円錐係数（Ｋ）および非球面係数（Ａ，Ｂ，Ｃ，Ｄ）
（第６面）
Ｋ＝0,
Ａ＝1.70699×10-4,   Ｂ＝-3.32288×10-5,
Ｃ＝7.95002×10-7,   Ｄ＝-6.27099×10-9
（第７面）
Ｋ＝-0.1858,
Ａ＝8.43675×10-4,   Ｂ＝6.56293×10-6,
Ｃ＝-2.00670×10-6,   Ｄ＝-2.29541×10-7
（第１０面）
Ｋ＝0，
Ａ＝-5.64411×10-4,   Ｂ＝-1.75974×10-5,
Ｃ＝1.70798×10-6,   Ｄ＝-3.89949×10-8
（第１２面）
Ｋ＝-0.5973，
Ａ＝-1.92725×10-5,   Ｂ＝8.22671×10-5,
Ｃ＝-2.28281×10-5,   Ｄ＝2.78115×10-6
（第１７面）
Ｋ＝1.6141，
Ａ＝-5.92164×10-4,   Ｂ＝1.68205×10-5,
Ｃ＝-7.73392×10-7,   Ｄ＝-2.40077×10-8
（第１８面）
Ｋ＝0，
Ａ＝-6.47064×10-4,   Ｂ＝2.16671×10-5,
Ｃ＝-1.42681×10-6,   Ｄ＝-6.03161×10-10
【００６７】
また、図６は、実施例３にかかるズームレンズの諸収差図である。図中、ｇはｇ線（λ＝４３５．８３ｎｍ）、ｄはｄ線（λ＝５８７．５６ｎｍ）、ＣはＣ線（λ＝６５６．２７ｎｍ）に相当する波長の収差を表す。そして、非点収差図におけるΔＳ，ΔＭは、それぞれサジタル像面、メリディオナル像面に対する収差を表す。
【００６８】
なお、上記各実施例中の数値データにおいて、ｒ1，ｒ2，・・・・は各レンズ、絞り面などの曲率半径、ｄ1，ｄ2，・・・・は各レンズ、絞りなどの肉厚またはそれらの面間隔、ｎｄ1，ｎｄ2，・・・・は各レンズなどのｄ線（λ＝５８７．５６ｎｍ）における屈折率、νｄ1，νｄ2，・・・・は各レンズなどのｄ線（λ＝５８７．５６ｎｍ）におけるアッベ数を示している。
【００６９】
また、上記各非球面形状は、非球面の深さをＺ、光軸からの高さをｙとし、光の進行方向を正とするとき、以下に示す式により表される。
【００７０】
【数１】
2011039439.tif 000003
【００７１】
ただし、Ｒは近軸曲率半径、Ｋは円錐係数、Ａ，Ｂ，Ｃ，Ｄ，はそれぞれ４次，６次，８次，１０次の非球面係数である。
【００７２】
以上説明したように、上記各実施例のズームレンズは、上記各条件式を満足することで、小型の口径でありながらも、広い画角（８０°以上）を確保でき、全変倍域において優れた光学性能を維持し、高変倍（８倍以上）が可能なズームレンズになる。
【産業上の利用可能性】
【００７３】
以上のように、この発明のズームレンズは、デジタルカメラなどの撮像装置に有用であり、特に、小型、広角、高変倍が要求される場合に最適である。
【符号の説明】
【００７４】
Ｇ11，Ｇ21，Ｇ31  第１レンズ群
Ｇ12，Ｇ22，Ｇ32  第２レンズ群
Ｇ13，Ｇ23，Ｇ33  第３レンズ群
Ｇ14，Ｇ24，Ｇ34  第４レンズ群
ＩＭＧ  結像面
ＳＴＰ  絞り
ＣＧ  カバーガラス
【図１】
2011039439.tif 000004
【図２】
2011039439.tif 000005
【図３】
2011039439.tif 000006
【図４】
2011039439.tif 000007
【図５】
2011039439.tif 000008
【図６】
2011039439.tif 000009